(57)【要約】【課題】振分機構による遊技球の振り分けの態様が斬新で、趣向性が高く、長期間に亘って遊技者の遊技意欲を高く保持することが可能な遊技機を提供する。【解決手段】パチンコ機の遊技盤面には、大型の遊技部材が設置されており、その遊技部材には、振分入賞装置１２が設けられている。振分入賞装置１２は、遊技球を第一導球孔２６，２６・・と第二導球孔２７，２７・・とに振り分ける振分板１５と、第一導球孔２６，２６・・に入り込んだ遊技球をアウト口４０へ導くための第一導球路３８、ステージ１６の中央部分からなる第一誘導路と、第二導球孔２７，２７に入り込んだ遊技球を第二入賞口５６へ導くための第二導球路３９、凹状溝３５，３５、および遊技球通路４１，４１からなる第二誘導路とを有している。そして、ステージ１６の中央部分の下面には、磁気感知センサ５７が設置されている。【選択図】図２
2010022430.tif 000002
【特許請求の範囲】
【請求項１】
内部に入り込んだ遊技球を複数の回収口の内のいずれかへ振り分けるための振分機構が遊技盤面に設けられた遊技機であって、
前記振分機構が、
遊技球を複数の導球孔の内のいずれかに振り分ける振分部材と、
前記振分部材の各導球孔に入り込んだ遊技球を複数の異なる領域に導くための複数の誘導路とを有するものであり、
前記誘導路の途中に、磁気の変化を感知する磁気感知センサが設置されていることを特徴とする遊技機。
【請求項２】
前記各誘導路が、いずれも平板状のステージの上面を経由するものであり、そのステージの下面に、磁気感知センサが設置されていることを特徴とする請求項1に記載の遊技機。
【発明の詳細な説明】
【技術分野】
【０００１】
本発明は、パチンコ機等の遊技機に関するものである。
【背景技術】
【０００２】
遊技機の一種であるパチンコ機の中には、大型の遊技部材が遊技盤面に設けられており、当該遊技部材に、遊技者にとっての価値が異なる複数の入賞口と、内部に入り込んだ遊技球をメカニカルな作動によって複数の入賞口に振り分ける振分機構とを設けたものがある。そして、そのような振分機構としては、特許文献１の如く、ピンを突設した円盤状の振分体を水平面内で回転させ、ピンと遊技球とを衝突させることにより遊技球の入賞先の振り分けを行うものや、特許文献２の如く、突起を設けた板状の振分体を上下動させることによって遊技球の入賞先の振り分けを行うもの等が知られている。
【０００３】
【特許文献１】特開２００６−５５４１４号公報
【特許文献２】特開２００８−３６１０２号公報
【発明の開示】
【発明が解決しようとする課題】
【０００４】
上記の如き振分機構を有するパチンコ機は、趣向性に富んでいるものの、遊技盤の前面に配置されたガラス板に磁石を押し当てて、振分領域へ入り込んだ遊技球を遊技者にとって有利な領域へ強制的に導く、という不正行為が行われることがある。しかしながら、上記従来の振分機構を備えたパチンコ機においては、このような不正行為を効果的に防止することができなかった。
【０００５】
本発明の目的は、上記従来のパチンコ機が有する問題点を解消し、ガラス板越し磁石を操作することによって振分領域に入り込んだ遊技球を遊技者にとって有利な領域へ強制的に導くという不正行為を効果的に防止することが可能な遊技機を提供することにある。
【課題を解決するための手段】
【０００６】
本発明の内、請求項１に記載された発明は、内部に入り込んだ遊技球を複数の回収口（入賞口あるいはアウト口）の内のいずれかへ振り分けるための振分機構が遊技盤面に設けられた遊技機であって、前記振分機構が、遊技球を複数の導球孔の内のいずれかに振り分ける振分部材と、前記振分部材の各導球孔に入り込んだ遊技球を複数の異なる領域に導くための複数の誘導路とを有するものであり、前記誘導路の途中に、磁気の変化を感知する磁気感知センサが設置されていることを特徴とするものである。
【０００７】
請求項２に記載された発明は、請求項１に記載された発明において、前記各誘導路が、いずれも平板状のステージの上面を経由するものであり、そのステージの下面に、磁気感知センサが設置されていることを特徴とするものである。
【発明の効果】
【０００８】
請求項１に記載された遊技機は、誘導路の途中に磁気感知センサが設置されており、磁石を用いた不正行為が行われ易い部位と近接した部位において、磁気感知センサが磁気の変化を感知するので、磁石を用いた不正行為を効率的に感知することができる。
【０００９】
請求項２に記載された遊技機は、各誘導路の経路がステージの上面に集約されており、当該ステージの下面に磁気感知センサが設置されているため、磁石を用いた不正行為が行われる可能性の最も高い部位と近接した部位において、磁気感知センサが磁気の変化を感知するので、磁石を用いた不正行為を非常に効率的に感知することができる。
【発明を実施するための最良の形態】
【００１０】
［パチンコ機の構造］
以下、本発明の遊技機の一形態であるパチンコ機について、図面にしたがって詳細に説明する。図１は、本発明に係るパチンコ機を示したものであり、パチンコ機１は、機枠２の片側縁に、ガラス板を嵌め込んだ前面枠３が開閉自在に蝶着されており、前面枠３の中央よりやや上側の後方には、遊技盤４が設置されている。遊技盤４の表面には、発射装置（図示せず）によって発射された遊技球を遊技盤４の上方まで導くための金属製で帯状のガイドレール８が円弧状に立設されており、当該ガイドレール８によって、略円形の遊技領域１０が区画された状態になっている。そして、当該遊技領域１０の略中央には、大型の遊技部材１１が設置されており、その遊技部材１１の左側には、振分機構として機能する振分入賞装置１２が設けられている。
【００１１】
図２は、振分入賞装置１２の前方斜視図である。振分入賞装置１２は、略円柱状に形成されており、外周がハウジング１３によって覆われている。そして、ハウジング１３の内部には、落球部材１４、振分板１５、ステージ１６、被覆部材１７、回転通路体１８，１８、受止部材１９等が設けられている。
【００１２】
図３は、落球部材１４を上から見た状態を示したものである。落球部材１４は、ハウジング１３の上端際に設けられており、屈曲した長尺状の通路部２１の先端に、遊技球を振分板１５上に落下させるための落球部２３が設けられている。通路部２１には、遊技球が流下可能な断面Ｕ字状の溝が形成されており、当該溝が基端から先端にかけて下向きに傾斜した状態になっている。また、通路部２１の基端には、遊技部材１１の上端際に設けられた飛込口２０と連通した通過孔２２が設けられている（図２参照）。一方、落球部２３の略中央には、落球孔２４が穿設されており、その落球孔２４の周囲には、周囲から中央に向かって下向きに傾斜したリング状のテーパ面２５が設けられている。なお、落球孔２４は、振分板１５の略中央（幅方向の略中央）の上方に位置した状態になっている。
【００１３】
また、図４は、振分板１５の設置部分を示したものである。振分板１５は、略長方形の平板状に形成されており、落球部材１４の下側に所定の距離を隔てて設けられている（図２参照）。そして、前方から後方へかけて所定の角度（水平面とのなす角＝約１０°）で下向きに傾斜した状態になっている。さらに、振分板１５の中央および左右の端縁際の後方には、遊技球をステージ１６の中央へ導くための３つの第一導球孔２６，２６・・が穿設されている。加えて、中央の第一導球孔２６と左右の第一導球孔２６，２６との間には、それぞれ、遊技球を被覆部材１７の通過孔３７へ導くための第二導球孔２７，２７が穿設されており、それらの第二導球孔２７，２７が、第一導球孔２６，２６・・よりも後方に位置した状態になっている。
【００１４】
また、振分板１５の左右には、側壁２８，２８が、振分板１５の板面と略直交するように立設されている。さらに、各第一導球孔２６，２６・・および第二導球孔２７，２７の後方には、それらの導球孔へ遊技球を導き入れるための誘導壁２９，２９・・が、振分板１５の板面と略直交するように立設されている。そして、それらの側壁２８，２８、誘導壁２９，２９・・・によって、振分板１５の表面に落下した遊技球が、振分板１５の左右あるいは後方から飛び出すことなく、第一導球孔２６，２６・・あるいは第二導球孔２７，２７に導かれるようになっている。さらに、中央の第一導球孔２６の左右、左側の第一導球孔２６の右側 、および、右側の第一導球孔２６の左側には、テーパ部３０が設けられており、第一導球孔２６の周囲が、外側から孔の穿設際にかけて所定の角度（水平面とのなす角＝約１０°）で下向きに傾斜した状態になっている。また、中央の第一導球孔２６と左側の第一導球孔２６との幅（テーパ部を除いた幅）、および、中央の第一導球孔２６と右側の第一導球孔２６との幅は、いずれも、遊技球の直径より短くなっている。
【００１５】
さらに、振分板１５の表面には、７個の大型の突起体３１，３１・・および２６個の小型の突起体３２，３２・・が、互いに、前後左右に所定の間隔を隔てて、散点状に突設されている。大型の突起体３１，３１・・および小型の突起体３２，３２・・は、いずれも、三角錐状に形成されており、底面の一つの頂点を前側に向け、かつ、一つの稜線を前後方向と一致させた状態になっている。また、振分板１５の略中央（前後方向における略中央）においては、１４個の小型の突起体３２，３２・・が、左右方向の間隔を等しくするようにおよそ前後２列に並んだ状態になっており、振分板１５の後側（第一導球孔２６，２６・・および第二導球孔２７，２７の設置際）においては、６個の大型の突起体３１，３１・・が、左右方向の間隔を等しくするように設けられている。そして、振分板１５の略中央（前後方向における略中央）における突起体３２，３２・・の設置密度（単位面積あたりの個数）が、振分板１５の後側における突起体３１，３１・・の設置密度より高くなっている。
【００１６】
一方、図２の如く、振分板１５の下方には、後方から前方へかけて所定の角度（水平面とのなす角＝約１０°）で下向きに傾斜した平坦なステージ１６が設けられている。当該ステージ１６の前端際の略中央には、四角錐状の突起体３３が設けられており、底面の一つの頂点を後側に向け、かつ、一つの稜線を前後方向と一致させた状態になっている。また、当該突起体３３の左右には、遊技球の直径以上の距離を隔てて、縦長な帯状の凸状部３４，３４が、ステージ１６の後端から前端まで縦断して、ステージ１６の表面から突出するように設けられている。さらに、それらの凸状部３４，３４には、それぞれ、左右に蛇行した凹状溝３５，３５が、左右対称となるように刻設されている。
【００１７】
そして、そのステージ１６の中央（左右方向における中央）の下面には、縦長な直方体状の空洞部を設けた取付部材５８が一体的に設けられている。そして、その取付部材５８の空洞部に、磁気の変化を感知する磁気感知センサ５７が嵌め込み設置されている。図５は、ステージ１６を上から見た状態を示したものであり、磁気感知センサ５７は、縦長な直方体状に形成されており、長手方向を前後方向に一致させ（すなわち、前面枠３に嵌め込まれたガラス板Ｇと直交するように配置させ）、上面をステージ１６の下面に当着させた状態で設置されている。また、磁気感知センサ５７は、変位可能な金属体を内蔵したタイプのものであり、外部からの磁力により内蔵された金属体が変位し、閉じた電気回路を構成することによって、磁気を感度良く感知することができるようになっている。また、磁気感知センサ５７は、配線（図示せず）を介してパチンコ機１の裏面に設置された制御装置（図示せず）に接続されており、当該制御装置は、配線（図示せず）を介してホールの不正監視装置（図示せず）に接続されている。
【００１８】
また、振分板１５の下方には、下側の中央に開口部３６を設けた平板状の被覆部材１７が鉛直状に設けられており、その被覆部材１７の下端の左右には、遊技球が通過可能な円形（遊技球の直径よりわずかに大きな直径を有する円形）の通過孔３７，３７が穿設されている。そして、それらの各通過孔３７，３７が、それぞれ、ステージ１６の左右に設けられた凹状溝３５，３５と連通した状態になっている。さらに、被覆部材１７の裏側においては、３つの第一導球孔２６，２６・・の下側に、それぞれ、遊技球をステージ１６上へ導くための第一導球路３８，３８・・が連設されており、２つの第二導球孔２７，２７の下側に、それぞれ、遊技球を通過孔３７，３７の裏側に導くための第二導球路３９，３９が連設されている。
【００１９】
また、ステージ１６の先端際の下方には、平板状の区画部材４７が鉛直状に設けられており、その区画部材４７の後方が、入り込んだ遊技球をアウト球として回収するためのアウト口４０およびアウト口５９，５９として区画された状態になっている。さらに、当該区画部材４７の上端際には、略矩形の３つのスリット５５ａ，５５ｂ，５５ｂが併設されている。そして、中央のスリット５５ａの下方（アウト口４０の前方の部分）には、左右の凸状部３４，３４の間を通ってステージ１６上から落下した遊技球を受け止めるための受止部材１９ａが、ステージ１６の前端縁より遊技球１個分以上の長さだけ前方へ突出するように設けられている。さらに、左右のスリット５５ｂ，５５ｂの下方（アウト口５９，５９の前方の部分）には、それぞれ、左右の凸状部３４，３４の外側を通ってステージ１６上から落下した遊技球を受け止めるための受止部材１９ｂ，１９ｂが、受止部材１９ａと同様に、ステージ１６の前端縁より遊技球１個分以上の長さだけ前方へ突出するように設けられている。そして、それらの受止部材１９ａ，１９ｂ，１９ｂは、船形に形成されており、底面が前方から後方へかけて下向きに傾斜した状態になっている。
【００２０】
さらに、中央の受止部材１９ａの左右には、それぞれ、扁平な円盤状の回転通路体１８，１８が、遊技盤４の盤面と平行な鉛直面内において回動可能に枢着されている。そして、それらの回転通路体１８，１８の中央（左右方向における中央）には、それぞれ、遊技球が流下可能な水平断面コ字状の遊技球通路４１が、上下を縦断するように設けられている。各回動通路体１８，１８は、後方に設置されたステッピングモータ（図示せず）によって、裏面の中央に突設された水平軸（図示せず）を中心として、所定の角度の範囲内（図１の如く遊技球通路４１を鉛直にした状態を０°とした場合に０°±３０°の範囲内）で所定の時間間隔の正回転・逆回転を繰り返し、遊技球通路４１のコ字状の開口部が受止部材１９ａによって覆われない回転位置と、遊技球通路４１のコ字状の開口部が受止部材１９ｂによって覆われない回転位置との間を往復するようになっている。なお、各回動通路体１８，１８は、上記の如く、所定の角度の範囲内で回動するため、水平となった遊技球通路４１に遊技球が停滞する事態や、回転通路体１８の左右の突出部分（遊技球通路４１を形成している部分）と受止部材１９ａ，１９ｂ・・との間に遊技球が挟まって、回転通路体１８や受止部材１９ａ，１９ｂ・・等が破損したり、遊技に不具合が生じたりする事態が生じない。
【００２１】
また、各回転通路体１８，１８および受止部材１９ａ，１９ｂ，１９ｂの下方には、遊技球を貯留可能で幅広な空洞部４２が設けられており、当該空洞部４２の中央の下方には、遊技球が流下可能な流下路４３が設けられている。加えて、その流下路４３の前方には、７セグメント方式の表示装置４４が設置されている。
【００２２】
上記の如く構成された振分入賞装置１２は、遊技部材１１の左側において、ハウジング１３の円周状の前端縁を、前面枠３に嵌め込まれたガラス板に対して平行に対峙させた状態で設置されている。一方、図１の如く、遊技部材１１の左上方には、液晶画面を有する円形の第一図柄表示装置４５が設けられており、各種の文字、図柄、動画等を表示することができるようになっている。さらに、振分入賞装置１２の右下方には、液晶画面を有する矩形の第二図柄表示装置４６が設けられており、第一図柄表示装置４５と同様に、各種の文字、図柄、動画等を表示することができるようになっている。加えて、振分入賞装置１２の下方には、第二入賞口（図柄始動口）５６を上部に設けた入賞部材５３が設けられている。
【００２３】
一方、遊技領域１０には、遊技部材１１の他に、図柄始動ゲート４８、図柄表示装置４９、電動開閉式入賞装置（所謂、電動式チューリップ）５０、大入賞装置５１，５２、各種の入賞装置５４，５４・・、電飾ランプ、風車等が設置されているとともに、多数の障害釘９，９・・等が植設されている。一方、前面枠３の下側には、遊技球を発射装置（図示せず）へ供給するための供給皿５と、遊技球を貯留させるための貯留皿６とが上下に併設されており、その貯留皿６の右側には、発射装置を操作するための発射ハンドル７が突設されている。
【００２４】
［パチンコ機の作動内容］
上記の如く構成されたパチンコ機１においては、発射ハンドル７の回動操作によって発射装置（図示せず）から遊技球が発射され、発射された遊技球が電動開閉式入賞装置５０、大入賞装置５１，５２等の各種の入賞装置等に入賞した場合には、賞品球払出装置（図示せず）によって、所定個数の賞品球が払い出されるようになっている。
【００２５】
＜振分機構による遊技球の振り分け＞
また、遊技球が、飛込口２０から遊技部材１１の内部に入り込んだ場合には、当該遊技球が、導球路（図示せず）を通って、落球部材１４の通過孔２２まで導かれる。落球部材１４に導かれた遊技球は、落球部材１４の先端まで導かれて、落球孔２４から振分板１５の前端際に落下する。なお、落球孔２４の周囲には、テーパ面２５が設けられているので、遊技球が落球孔２４から短時間の内に連続的に落下する事態が回避されるとともに、落下する遊技球の勢いが効率的に減殺される。そして、振分板１５上に落下した遊技球は、大型の突起体３１，３１・・および小型の突起体３２，３２・・に衝突しながら、左右に転動し、第一導球孔２６，２６・・あるいは第二導球孔２７，２７のいずれかに導かれる（すなわち、振分板１５上に落下した遊技球は、第一導球孔２６あるいは第二導球孔２７へ振り分けられる）。なお、大型の突起体３１，３１・・および小型の突起体３２，３２・・は、いずれも、三角錐状に形成されており、底面の一つの頂点を前側に向け、かつ、一つの稜線を前後方向と一致させた状態になっているため、遊技球が突起体３１あるいは突起体３２の前方で不必要に停滞する事態が生じない。
【００２６】
そして、第二導球孔２７，２７・・に導かれた遊技球は、第二導球路３９を通って被覆部材１７の通過孔３７へ導かれ、ステージ１６の左右に設けられた凹状溝３５を転動して、凹状溝３５の先端から落下し、回転通路体１８の遊技球通路４１を通って、空洞部４２に導かれる。そして、空洞部４２の下端に設けられた流下路４３から振分入賞装置１２の下方に設けられた入賞部材５３の第二入賞口５６に入賞し（図１参照）、入賞部材５３に内蔵された入賞感知センサ（図示せず）によって、その入賞が感知される。
【００２７】
遊技球が第二入賞口５６に入賞すると、パチンコ機１の内部に設置された制御装置（図示せず）において大当たり抽選が実行される。そして、その大当たり抽選の結果、「大当たり」になった場合には、「大当たり状態」が生起する。また、遊技球が第二入賞口５６に入賞した場合には、第一図柄表示装置４５において、所定の時間だけ図柄の変動表示を実行し、当該変動表示の後に「大当たり図柄」あるいは「はずれ図柄」を表示することによって大当たり抽選の結果を表示する。生起した「大当たり状態」においては、大入賞装置５１が所定時間の開成を所定回数だけ断続的に繰り返す。したがって、「大当たり状態」が生起した場合には、遊技者は、多くの賞品球を獲得することができる。
【００２８】
一方、第一導球孔２６，２６・・に導かれた遊技球は、第一導球路３８を通ってステージ１６の後方へ導かれ、ステージ１６の中央（左右の凸状部３４，３４の間）を通って、ステージ１６の先端から受止部材１９ａ内に落下する。そして、受止部材１９ａの底面上を転動した後にアウト口４０に入り込む。なお、ステージ１６の前端際には突起体３３が設けられているため、遊技球が第二導球孔２７，２７から回転通路体１８の遊技球通路４１に導かれる確率に比べてきわめて低い確率ではあるが、ステージ１６に導かれた遊技球が突起体３３に衝突して回転通路体１８の遊技球通路４１に導かれる事態も発生する。また、各凹状溝３５，３５を流下中の遊技球が他の遊技球との衝突等によって凹状溝３５，３５から内側（左右方向における内側）へ外れた場合（飛び出した場合）には、ステージ１６の先端から受止部材１９ａ内に落下し、落下した受止部材１９ａの底面上を転動してアウト口４０へ入り込む。一方、各凹状溝３５，３５を流下中の遊技球が凹状溝３５，３５から外側（左右方向における外側）へ外れた場合（飛び出した場合）には、ステージ１６の先端から受止部材１９ｂ，１９ｂ内に落下し、落下した受止部材１９ｂの底面上を転動してアウト口５９へ入り込む。そのようにアウト口４０あるいはアウト口５９，５９に遊技球が入り込んだ場合には、上記した大当たり抽選や賞品球の払い出しは実行されず、当該遊技球がアウト球として回収される。
【００２９】
パチンコ機１においては、上記したように、第二導球路３９、凹状溝３５，３５、および回転通路体１８，１８の遊技球通路４１，４１は、第二導球孔２７，２７に導かれた遊技球を、きわめて高い確率で第二入賞口５６へ導くための第二誘導路として機能する。また、第一導球路３８およびステージ１６の上面の中央部分は、第一導球孔２６，２６・・に導かれた遊技球を、きわめて高い確率でアウト口４０へ導くための第一誘導路として機能する。
【００３０】
＜磁石を用いた不正行為の感知＞
パチンコ機１において、ステージ１６の前方のガラス板Ｇ越しに磁石が操作され、ステージ１６の上面の中央部分を流下する遊技球を強制的に凹状部３５，３５へ移動させる不正行為が行われた場合には、ステージ１６の下面に設けられた磁気感知センサ５７が、ガラス板Ｇ越しに磁石が操作されたことによる磁気の変化を感度良く感知し、その磁気の変化を電気信号に変換して、パチンコ機１の裏面に設置された制御装置に送信する。当該制御装置は、当該電気信号を受けると、所定の警報信号（電気信号）をホールの不正監視装置に送信することによって、磁気感知センサ５７が磁気の変化を感知した旨を報知する。
【００３１】
［パチンコ機の効果］
パチンコ機１は、上記の如く、振分機構である振分入賞装置１２が、遊技球を第一導球孔２６，２６・・と第二導球孔２７，２７・・とに振り分ける振分部材である振分板１５と、第一導球孔２６，２６・・に入り込んだ遊技球をアウト口４０（第一領域）へ導くための第一導球路３８、ステージ１６の中央部分からなる第一誘導路と、第二導球孔２７，２７に入り込んだ遊技球を第二入賞口５６（第二領域）へ導くための第二導球路３９、凹状溝３５，３５、および遊技球通路４１，４１からなる第二誘導路とを有している。そして、当該第一誘導路の途中（すなわち、ステージ１６の中央部分の下面）に磁気感知センサ５７が設置されている。したがって、磁石を用いた不正行為が行われ易い部位と近接した部位において磁気感知センサ５７が磁気の変化を感知するので、磁石を用いた不正行為を効率的に感知することができる。
【００３２】
また、パチンコ機１は、第一誘導路および第二誘導路が、いずれも平板状のステージ１６の上面を経由するものであり、そのステージ１６の下面に、磁気の変化を感知する磁気感知センサ５７が設置されているため、磁石を用いた不正行為が行われる可能性の最も高い部位と近接した部位において磁気感知センサ５７が磁気の変化を感知するので、磁石を用いた不正行為をきわめて効率的に感知することができる。
【００３３】
［変更例］
なお、本発明の遊技機の構成は、上記実施形態の態様に何ら限定されるものではなく、遊技盤、遊技部材、振分入賞装置（振分機構）、磁気感知センサ等の形状、構造、材質等の構成を、本発明の趣旨を逸脱しない範囲で適宜変更できる。
【００３４】
たとえば、本発明の遊技機は、上記実施形態の如く、遊技球をアウト口へ導く誘導路の途中に磁気感知センサを設けたものに限定されず、遊技球を入賞口へ導く誘導路の途中に磁気感知センサを設けたもの等に変更することも可能である。
【００３５】
さらに、磁気感知センサは、上記実施形態の如く、外部からの磁力により内蔵された金属体が変位し閉じた電気回路を構成することによって磁気を感知するものに限定されず、ホール素子（ホール効果によって起電力が発生する素子）を利用した磁気感知センサや、磁界の強さに応じて電気抵抗値が変化する磁気抵抗素子（ＭＲ素子）を用いてホイートストン・ブリッジを構成した磁気感知センサ等に変更することも可能である。加えて、磁気感知センサの設置個数は、１個に限定されず、複数の磁気感知センサを設置することも可能である。また、そのように複数の磁気感知センサを設置する場合には、ステージの下面のみならず、ステージの内部等に設置することも可能である。なお、ステージの内部に磁気感知センサを設置する場合でも、上記実施形態の如く、ステージの中央に近い部分に設置するのが好ましい。
【００３６】
また、本発明の遊技機は、上記実施形態の如く、２種類の導球孔を振分板に設けたものに限定されず、３種類以上の導球孔を振分板に設けたものでも良い。また、所定の導球孔を通過した際に大当たり抽選の実施確率が非常に高くなるものに限定されず、各導球孔に導かれた結果として遊技者にもたらされる付加価値を必要に応じて適宜変更することができる。さらに、各導球孔から最終的に導かれる入賞口までの経路も、上記実施形態の態様に限定されず、必要に応じて適宜変更することができる。
【００３７】
加えて、本発明の遊技機は、合計５個の導球孔を振分板に設けたものに限定されず、４個以下、あるいは６個以上の導球孔を振分板に設けたものでも良い。また、三角錐状の突起体を振分板に設けたものに限定されず、振分板に設ける突起体の形状を、円錐状や円柱状等に変更することも可能である。さらに、振分板は、上記実施形態の如く、水平面と１０°をなす角度に傾斜したものに限定されず、必要に応じて振分板の傾斜角度を適宜変更することができる。
【００３８】
また、本発明の遊技機は、上記実施形態の如く、一部の導球孔の周囲にテーパ部を設けたものに限定されず、全ての導球孔の周囲にテーパ部を設けることも可能である。さらに、テーパ部の幅も特に限定されず、必要に応じて増減することができ、場合によっては、遊技球直径程度の大きな幅を有するテーパ部を導球孔の周囲に設けることも可能である。加えて、テーパ部の形状も、上記実施形態の如き帯状に限定されず、必要に応じて適宜変更することができる。また、テーパ部は、上記実施形態の如く、水平面と１０°をなす角度に傾斜したものに限定されず、必要に応じてテーパ部の傾斜角度を適宜変更することができる。
【図面の簡単な説明】
【００３９】
【図１】パチンコ機の正面図である。
【図２】振分入賞装置の前方斜視図である。
【図３】落下部材の平面の様子を示す説明図である。
【図４】振分板の設置部分を示す説明図である（ａは平面図であり、ｂは前方斜視図である）。
【図５】ステージを上から見た状態を示す説明図である。
【符号の説明】
【００４０】
１・・パチンコ機（遊技機）
４・・遊技盤
１２・・振分入賞装置（振分機構）
１５・・振分板（振分部材）
１６・・ステージ
３８・・第一導球路
３９・・第二導球路
４０・・アウト口（第一領域）
４１・・遊技球通路
５６・・第二入賞口（第二領域）
５７・・磁気感知センサ
【図１】
2010022430.tif 000003
【図２】
2010022430.tif 000004
【図３】
2010022430.tif 000005
【図４】
2010022430.tif 000006
【図５】
2010022430.tif 000007